(57)【要約】【課題】据置きタイプの容器を製造する際に、容器本体の高さの相違にかかわらず、口部に装着するだけでチューブの長さを調整可能として、吸引口を容器本体の底部に近接して配置できるポンプ装置を提供する。【解決手段】据置きタイプの容器１２の口部１１ａに装着され、チューブ１４を介して吸引される内容物をポンプ本体１３から吐出させるポンプ装置１０であって、チューブ１４は、ポンプ本体１４と一体化して成形されて下方に延設するチューブ本体１６を含んでおり、且つポンプ本体１４から先端の吸引口１５までの長さを調整可能とする伸縮機構１７を備えている。伸縮機構１７は、例えばチューブ本体１６に設けられた蛇腹部１８からなる。また容器本体１１の底部１１ｂに段差凹部１９が設けられ、この段差凹部１９に、ポンプ装置１０のチューブ１４の先端が位置決め係止される。【選択図】図１
2007091319.tif 000002
【特許請求の範囲】
【請求項１】
据置きタイプの容器の口部に装着され、チューブを介して吸引される内容物をポンプ本体から吐出させるポンプ装置であって、前記チューブは、前記ポンプ本体と一体化して成形されて下方に延設するチューブ本体を含んでおり、且つ前記ポンプ本体から下端の吸引口までの長さを調整可能とする伸縮機構を備えるポンプ装置。
【請求項２】
前記伸縮機構は、前記チューブ本体に設けられた蛇腹部である請求項１記載のポンプ装置。
【請求項３】
前記伸縮機構は、前記チューブ本体の下端開口からスライドチューブを上下にスライド可能に挿入することによって構成される請求項１記載のポンプ装置。
【請求項４】
請求項１〜３のいずれかに記載のポンプ装置が容器本体の口部に装着されると共に、容器本体の底部に段差凹部が設けられ、該段差凹部に、前記ポンプ装置のチューブの下端が位置決め係止される据置きタイプの容器。
【発明の詳細な説明】
【技術分野】
【０００１】
本発明は、据置きタイプの容器の口部に装着され、チューブを介して吸引される内容物をポンプ本体から吐出させるポンプ装置及び容器に関する。
【背景技術】
【０００２】
例えば、シャンプーや全身洗浄剤などの粘性の高い液体を収容する据置きタイプの容器として、ボトル形状の容器本体の口部に、ポンプディスペンサー等のポンプ装置を装着したものが知られている。据置きタイプの容器では、容器を立設状態で置いたまま、ポンプ装置の吸引チューブを介して容器本体に収容された内容物を吸引することにより、例えばポンプ本体の計量部に内容物を所望量汲み上げ、汲み上げた内容物をポンプ装置の吐出機構を介して吐出口から吐出させる。このような据置きタイプの容器では、収容された内容物を漏れなく吸引できるように、吸引チューブの下端の吸引口は容器本体の底部に近接して配置する必要がある。
【０００３】
エアゾール製品などの手で把持して使用するタイプの容器においては、内容物を吸引するためのディップチューブの先端の吸引口を、容器本体の底部や隅部で開口させて内容物を無駄なく吸引できるように、ディップチューブを容器本体よりも長く形成して容器の内部で蛇行させている。また、ディップチューブが容器本体の内部で蛇行自在となるように、チューブの一部に蛇腹や螺旋状の筒を設けるようにした技術も開発されている（例えば、特許文献１参照）。
【特許文献１】特開平１０−１６５８５３号公報
【発明の開示】
【発明が解決しようとする課題】
【０００４】
一方、据置きタイプの容器は、特に粘性の高い液体を収容した場合、蛇行しやすい可撓性に富んだ細い口径のディップチューブを吸引用のチューブとして用いると、内容物を効率良くポンプ装置に吸引できないことから、チューブは、ポンプ装置のポンプ本体から垂直下方に、蛇行させることなく真っ直ぐに延設させた状態で配設するのが一般的である。このような据置きタイプの容器では、チューブの吸引口を容器本体の底部に近接させて配置するために、ポンプ本体とチューブを別パーツの部品として形成し、容器本体の高さに対応する長さのチューブを適宜選択してポンプ本体に取り付けることにより、チューブの吸引口を容器本体の底部に近づける方法が採用されている。またこれによって、高さの異なる多種類の容器本体に対しても、その都度チューブのみを交換することによって、ポンプ本体は、その形状を変えることなく汎用させて用いることを可能にしている。
【０００５】
しかしながら、ポンプ本体とチューブを別パーツの部品として用いる場合、容器を製造する際に、容器本体の種類に対応させてその都度選択したチューブをポンプ本体に取り付ける工程を必要として、製造工程が増えると共に、コスト高になることから、容器本体の高さの相違にかかわらず、口部に装着するだけでチューブの長さを調整可能として、吸引口を容器本体の底部に近接して配置することのできるポンプ装置の開発が望まれている。
【０００６】
本発明は、据置きタイプの容器を製造する際に、容器本体の高さの相違にかかわらず、口部に装着するだけでチューブの長さを調整可能として、吸引口を容器本体の底部に近接して配置することのできるポンプ装置、及び該ポンプ装置が装着された据置きタイプの容器を提供することを目的とする。
【課題を解決するための手段】
【０００７】
本発明は、据置きタイプの容器の口部に装着され、チューブを介して吸引される内容物をポンプ本体から吐出させるポンプ装置であって、前記チューブは、前記ポンプ本体と一体化して成形されて下方に延設するチューブ本体を含んでおり、且つ前記ポンプ本体から下端の吸引口までの長さを調整可能とする伸縮機構を備えるポンプ装置を提供することにより、上記目的を達成したものである。
【０００８】
また、本発明は、上記ポンプ装置が容器本体の口部に装着されると共に、容器本体の底部に段差凹部が設けられ、該段差凹部に、前記ポンプ装置のチューブの下端が位置決め係止される据置きタイプの容器を提供することにより、上記目的を達成したものである。
【発明の効果】
【０００９】
本発明のポンプ装置、又は該ポンプ装置が装着された容器によれば、据置きタイプの容器を製造する際に、容器本体の高さの相違にかかわらず、ポンプ装置を口部に装着するだけでチューブの長さを調整可能として、吸引口を容器本体の底部に近接して配置することができる。
【発明を実施するための最良の形態】
【００１０】
本発明の好ましい第１実施形態に係るポンプ装置１０は、図１（ａ），（ｂ）に示すように、内容物を収容した容器本体１１の口部１１ａに装着して用いられ、容器本体１１と共に、載置面２５に立設配置した状態で使用する据置きタイプの容器１２を構成する。本第１実施形態のポンプ装置１０は、容器本体１１の高さが異なる容器１２に対しても、当該容器１２を製造する際に、ポンプ装置１０を容器本体１１の口部１１ａに装着するだけでチューブ１４の長さを調整可能とする構成を備えている。これによって、ポンプ本体１３と連結してポンプ本体１３から垂直下方に延設するチューブ１４の下端の吸引口１５を、容器本体１１の高さにかかわらず底部１１ｂに近接させて自動的に配置させ、ポンプ装置１０を種々の高さの異なる容器に汎用させて用いることを可能にすると共に、据置きタイプの容器１２の容器本体１１に収容された内容物を、残量を少なくして効率良く使用できるようにする。
【００１１】
そして、本第１実施形態のポンプ装置１０は、据置きタイプの容器１２の口部１１ｂに装着され、チューブ１４を介して吸引される内容物をポンプ本体１３から吐出させる装置であって、チューブ１４は、ポンプ本体１３と一体化して成形されて下方に延設するチューブ本体１６を含んでおり、且つポンプ本体１３から下端の吸引口１５までの長さを調整可能とする伸縮機構１７を備えている。
【００１２】
また、本第１実施形態では、チューブ１４は、その全長が、ポンプ本体１３と一体化して成形されるチューブ本体１６となっており、伸縮機構１７は、チューブ本体１６に設けられた蛇腹部１８によって構成されている。
【００１３】
本実施形態では、ポンプ装置１０が装着される容器本体１１は、合成樹脂成形品であって、図１（ａ），（ｂ）では概念的に示してあるが、例えばボトル形状等の、据置きタイプの容器の容器本体として公知の、種々の安定した形状を備えるものを採用することができる。また、容器本体１１の内部には、例えば、シャンプーや全身洗浄剤などの粘性の高い液体が内容物として収容されている。
【００１４】
ポンプ装置１０は、内容物を汲み上げて吐出する機構を備えるポンプ本体１３と、ポンプ本体１３からの吸引力によって汲み上げられる内容物を容器本体１１からポンプ本体１３に供給するチューブ１４とからなり、ポンプ本体１３は、公知のポンプ装置として、例えばポンプディスペンサーからなるものである。またポンプ本体１３は、内周面に雌ネジ部が形成されて容器本体１１の口部１１ａに螺合装着されるスカート部１３ａや、吐出ノズル１３ｂ、計量部１３ｃ等を備えており、チューブ１４（チューブ本体１６）は、計量部１３ｃと一体化して成形されて、計量部１３ｃから垂直下方に延設して設けられている。
【００１５】
チューブ１４は、例えば軟質の合成樹脂からなり、射出成形やブロー成形等によって計量部１３を成形する際に、当該計量部１３と一体成形することができる他、チューブ１４を融着接合等によって計量部１３に強固に一体化されるように接合して、チューブ１４が計量部１３ｃと一体化して成形されている状態とすることもできる。またチューブ１４は、その上端部と下端部を除く中間部分が、上下方向に伸縮可能な蛇腹部１８となっている。これによって、ポンプ装置１０は、容器本体１１の口部１１ａに装着された際に、吸引口１５が設けられた先端が容器本体１１の底部１１ｂに当接するまで垂直下方に直線状に延設する状態を保持すると共に、高さの低い容器本体１１に装着された場合でも（図１（ｂ）参照）、蛇腹部１８を折り畳むように縮めてチューブ１４を上下方向に収縮させ、チューブ１４が蛇行することなく垂直下方に延設する状態を保持できるようになっている。
【００１６】
また、本第１実施形態では、チューブ１４の下端は、側方から見てＵ字状或いは円弧状の窪み形状を備えるように切り欠かれており、これによってチューブ１４の下端を容器本体１１の底部１１ｂに当接させた際に、当該底部１１ｂとの間に吸引口１５と連通する隙間を保持して、吸引口１５を経て内容物をスムーズに吸引させることができるようになっている。
【００１７】
さらに、本第１実施形態では、容器本体１１の底部１１ｂの中央部分には、計量部１３ｃからチューブ１４が垂下する位置に対応させて、チューブ１４の下端よりも僅かに大きな内径を有する段差凹部１９が設けられている。そして、段差凹部１９に嵌め込んだ状態でチューブ１４の下端を容器本体１１の底部１１ｂに当接させることにより、チューブ１４の下端を位置決め係止してチューブ１４が上下方向にのみ伸縮移動するように規制し、容器本体１１の内部におけるチューブ１４の蛇行をさらに効果的に回避できるようになっている。また、チューブ１４の下端が段差凹部１９において容器本体１１の底部１１ｂと当接していることにより、容器本体１１の最下部に位置する段差凹部１９に溜まった内容物をも吸引することが可能になり、内容物の残量をさらに少なくすることが可能になる。
【００１８】
そして、本第１実施形態によれば、据置きタイプの容器１２を製造する際に、容器本体１１の高さの相違にかかわらず、ポンプ装置１０を口部に装着するだけでチューブ１４の長さを調整可能として、吸引口１５を容器本体１１の底部１１ｂに近接して配置することができる。すなわち、本第１実施形態によれば、チューブ１４は、ポンプ本体１３と一体化して成形されるチューブ本体１６を含んでいて、容器１２を製造する際にポンプ本体１３と一体として取り扱われることから、容器本体１１の高さに合わせてチューブを新たに取り付ける必要がない。またポンプ本体１３から下端の吸引口１５までの長さを調整可能とする伸縮機構１７を備えているので、ポンプ装置１０を口部に装着するだけで、容器本体１１の高さに合わせてチューブ１４を収縮させると共に、ポンプ本体１３から垂直下方に延設させつつチューブ１４の下端を容器本体１１の底部１１ａに当接させた状態として、吸引口１５を容器本体１１の底部１１ｂに近接させて容易に配置することが可能になる。これらによって、容器本体１１の高さに合わせてチューブの長さを個別に設定することなくポンプ装置１０を共通化、汎用化することができ、パーツ数を削減すると共に、コストダウンを図ることが可能になる。
【００１９】
図２（ａ），（ｂ）は、本発明の好ましい第２実施形態に係るポンプ装置２０を示すものである。本第２実施形態のポンプ装置２０は、上記第１実施形態のポンプ装置１０と略同様の構成を備えている一方で、チューブ１４’のポンプ本体１３から下端の吸引口１５’までの長さを調整可能とする伸縮機構１７’は、ポンプ本体１３の計量部１３ｃと一体化して成形されたチューブ本体１６’の下端開口から、スライドチューブ２１を上下にスライド可能に挿入することによって構成されている。スライドチューブ２１は、チューブ本体１６’の内側面に沿って摺動可能な外周面を備える筒状部分であり、チューブ本体１６’から脱落しなうようにストッパーを備えていると共に、チューブ本体１６’に対して上下にスライド移動することによって、チューブ１４’の長さを伸縮調整できるようになっている。
【００２０】
そして、第２実施形態に係るポンプ装置２０によっても、据置きタイプの容器１２’を製造する際にチューブ１４’はポンプ本体１３と一体として取り扱われ、伸縮機構１７’により容器本体１１の高さに合わせてチューブ１４’を収縮させることができるので、上記第１実施形態のポンプ装置１０と同様の作用効果を奏することになる。
【００２１】
なお、本発明は上記各実施形態に限定されることなく種々の変更が可能である。例えば、チューブの上下方向の長さを調整可能とする伸縮機構は、蛇腹部やスライドチューブによるものの他、その他の種々の伸縮機構を採用することができる。また、チューブの下端に形成される切り欠きは、Ｕ字状や円弧状の窪み形状に限定されることなく、例えば斜めにカットして設けることもでき、チューブの下端に切り欠きを設ける必要は必ずしもない。さらに、容器本体の底部に段差凹部を設ける必要は必ずしもない。
【図面の簡単な説明】
【００２２】
【図１】（ａ），（ｂ）は、本発明の好ましい第１実施形態に係るポンプ装置が装着された据置きタイプの容器の略示側面図である。
【図２】（ａ），（ｂ）は、本発明の好ましい第２実施形態に係るポンプ装置が装着された据置きタイプの容器の略示側面図である。
【符号の説明】
【００２３】
１０，２０  ポンプ装置
１１  容器本体
１１ａ  容器本体の口部
１１ｂ  容器本体の底部
１２，１２’  据置きタイプの容器
１３  ポンプ本体
１４，１４’  チューブ
１５，１５’  吸引口
１６，１６’  チューブ本体
１７，１７’  伸縮機構
１８  蛇腹部
１９  段差凹部
２１  スライドチューブ
２５  載置面
【図１】
2007091319.tif 000003
【図２】
2007091319.tif 000004